(57)【特許請求の範囲】
【請求項１】
車両の前後方向に沿って延在する骨格部材を備える車両の骨格構造であって、
前記骨格部材は、中空部を備える主長尺部材と、前記主長尺部材における中空部に進入可能とされた複数の副長尺部材とを備え、
前記主長尺部材と前記複数の副長尺部材とが、前記車両の前後方向に沿って配設されており、
隣接する前記主長尺部材と前記副長尺部材および前記副長尺部材同士の間に接合部が形成されており、
前記骨格部材に対して、前記車両の前後方向に対する荷重が入力された際に、前記接合部の接合状態が解消されることにより、前記複数の副長尺部材が前記主長尺部材に対して順次スライド可能とされており、
前記骨格部材がアンダーメンバであり、前記アンダーメンバの上方にフロントサイドメンバが配設されており、
前記フロントサイドメンバが、第１の副長尺部材の下方に配置される第１の長尺部材と、第２の副長尺部材の下方に配置される第２の長尺部材と、前記主長尺部材の下方に配置される第３の長尺部材とを備え、
前記第１の長尺部材の軸方向の強度が、前記第１の副長尺部材と前記第２の副長尺部材との間の前記接合部の接合強度と略同一であり、前記第２の長尺部材の軸方向の強度が、前記第２の副長尺部材と前記主長尺部材との間の前記接合部の接合強度と略同一であることを特徴とする車両の骨格構造。
【請求項２】
前記隣接する前記主長尺部材と前記副長尺部材および前記副長尺部材同士の間に接合部のそれぞれに対して、強度差が設定されている請求項１に記載の車両の骨格構造。
【請求項３】
前記主長尺部材および前記副長尺部材のうちの少なくとも一方に対してスライドすることにより、前記主長尺部材および前記副長尺部材のうちの少なくとも一方に前記副長尺部材が進入する構成とされており、
前記副長尺部材が前記主長尺部材および前記副長尺部材のうちの少なくとも一方に進入する際、前記主長尺部材および前記副長尺部材のうちの少なくとも一方に進入した前記副長尺部材の前記主長尺部材に対する相対的な移動を抑止する移動抑止手段が設けられている請求項２に記載の車両の骨格構造。
【発明の詳細な説明】
【技術分野】
【０００１】
本発明は、車両の骨格構造に係り、特に、車両におけるアンダーメンバに用いて好適となる車両の骨格構造に関する。
【背景技術】
【０００２】
車両の車体部分前方においては、フロントサイドメンバが設けられているものがある。フロントサイドメンバは、後方位置における略水平部分となる下段水平部と、前方位置において、後方部分よりも高い位置に配置され、略水平となる上段水平部とを備えている。また、上段水平部と下段水平部との間には、前方に行くにしたがって上方に延びる傾斜部分が設けられている。
【０００３】
さらに、フロントサイドメンバにおける下段水平部の前方位置であって、フロントサイドメンバにおける上段水平部の下方位置には、アンダーメンバが設けられているものがある。このアンダーメンバは、先端部がラジエータサポートに接続され、後端部がサスペンションメンバを介してフロントサイドメンバにおける下段水平部の先端位置に接続されている。車両に前方からの前方から衝突荷重が入力された際には、フロントサイドメンバにおける上段水平部とともにアンダーメンバに分散することにより、衝突荷重を吸収するようにしている。
【０００４】
また、この種のアンダーメンバとしてアンダーメンバ本体に対して相対的にスライド移動するアンダーメンバスライド部材を備えるフロントアンダーメンバがある（たとえば、特許文献１参照）。このフロントアンダーメンバでは、車両前方から荷重が作用した際、アンダーメンバスライド部材がアンダーメンバ本体に対して相対的にスライド移動することにより、アンダーメンバへ作用する荷重を吸収する。このため、アンダーメンバへ作用する荷重を効果的に吸収することができるというものである。
【先行技術文献】
【特許文献】
【０００５】
【特許文献１】特開２００８−３７１１２号公報
【発明の概要】
【発明が解決しようとする課題】
【０００６】
しかし、上記特許文献１に開示されたフロントアンダーメンバでは、アンダーメンバ本体に対してアンダーメンバスライド部材が相対的にスライド移動するのみである。このため、フロントアンダーメンバ（骨格部材）の全体としてはスライド距離をさらに長くする余地があるので、荷重の吸収性能をさらに高めることができる可能性があるという問題があった。
【０００７】
そこで、本発明の課題は、車両の前方から衝突荷重が入力した際に、骨格部材全体としてスライドする距離を長くすることにより、荷重の吸収性能を高いものとすることができる車両の骨格構造を提供することにある。
【課題を解決するための手段】
【０００８】
上記課題を解決した本発明に係る車両の骨格構造は、車両の前後方向に沿って延在する骨格部材を備える車両の骨格構造であって、骨格部材は、中空部を備える主長尺部材と、主長尺部材における中空部に進入可能とされた複数の副長尺部材とを備え、主長尺部材と複数の副長尺部材とが、車両の前後方向に沿って配設されており、隣接する主長尺部材と副長尺部材および副長尺部材同士の間に接合部が形成されており、骨格部材に対して、車両の前後方向に対する荷重が入力された際に、接合部の接合状態が解消されることにより、複数の副長尺部材が主長尺部材に対して順次スライド可能とされており、骨格部材がアンダーメンバであり、アンダーメンバの上方にフロントサイドメンバが配設されており、フロントサイドメンバが、第１の副長尺部材の下方に配置される第１の長尺部材と、第２の副長尺部材の下方に配置される第２の長尺部材と、主長尺部材の下方に配置される第３の長尺部材とを備え、第１の長尺部材の軸方向の強度が、第１の副長尺部材と第２の副長尺部材との間の接合部の接合強度と略同一であり、第２の長尺部材の軸方向の強度が、第２の副長尺部材と主長尺部材との間の接合部の接合強度と略同一であることを特徴とする。
【０００９】
本発明に係る車両の骨格構造は、主長尺部材における中空部に進入可能とされた複数の副長尺部材を備えており、車両の前後方向に対する荷重が入力された際に、複数の副長尺部材が主長尺部材に対して順次スライド可能とされている。このように、複数の副長尺部材が主長尺部材に対して順次スライドすることにより、入力された荷重に対する骨格部材の抵抗を変化させることができる。この結果、入力された荷重を段階的に制御することができる。また、複数の副長尺部材を備えることにより、骨格部材全体としてのスライド距離を長くすることができる。その結果、車両の前方から衝突荷重が入力した際における荷重の吸収性能を高いものとすることができる。また、車両が正面衝突して車両の前面上部及び前面下部から同じように衝突荷重が入力した場合には、フロントサイドメンバ及びアンダーメンバにおいて同様の吸収力で衝突荷重を吸収することができる。したがって、フロントサイドメンバとアンダーメンバとを協働させて荷重を吸収することができ、衝突荷重の吸収性能を高めることができる。
【００１０】
ここで、隣接する主長尺部材と副長尺部材および副長尺部材同士の間に接合部のそれぞれに対して、強度差が設定されている態様とすることができる。
【００１１】
このように、隣接する主長尺部材と副長尺部材および副長尺部材同士の間に接合部のそれぞれに対して、強度差が設定されていることにより、荷重に対する抵抗力に幅を持たせることができる。したがって、骨格部材に入力される荷重を段階的にコントロールすることができる。
【００１２】
また、主長尺部材および副長尺部材のうちの少なくとも一方に対してスライドすることにより、主長尺部材および副長尺部材のうちの少なくとも一方に副長尺部材が進入する構成とされており、副長尺部材が主長尺部材および副長尺部材のうちの少なくとも一方に進入する際、主長尺部材および副長尺部材のうちの少なくとも一方に進入した副長尺部材の主長尺部材に対する相対的な移動を抑止する移動抑止手段が設けられている態様とすることができる。
【００１３】
このように、主長尺部材および副長尺部材のうちの少なくとも一方に進入した副長尺部材の主長尺部材に対する相対的な移動を抑止する移動抑止手段が設けられていることにより、副長尺部材のスライド距離をコントロールすることができる。このため、たとえば、副長尺部材のスライド距離をコントロールすることにより、骨格部材に入力される荷重をさらに好適にコントロールすることができる。さらには、骨格部材に入力された荷重を確実に後方の長尺部材等に伝達させることができる。
移動抑止部材による強度の増加を図ることができる。
【発明の効果】
【００１７】
本発明に係る車両の骨格構造によれば、車両の前方から衝突荷重が入力した際に、アンダーメンバ全体としてスライドする距離を長くすることにより、荷重の吸収性能を高いものとすることができる。
【図面の簡単な説明】
【００１８】
【図１】本発明の実施形態に係る車両の骨格構造の要部側面図である。
【図２】アンダーメンバの斜視図である。
【図３】（ａ）は、アンダーメンバにおける前段部と中段部との接続部分の拡大斜視図、（ｂ）は、その拡大側断面図である。
【図４】フロントサイドメンバとアンダーメンバとの長さ関係を説明する図である。
【図５】アンダーメンバにおける各部材の長さ関係を説明する側断面図である。
【図６】アンダーメンバによって衝突荷重を吸収する際のアンダーメンバの変遷を示す図である。
【図７】（ａ）〜（ｃ）とも、アンダーメンバの変形例を示す斜視図である。
【発明を実施するための形態】
【００１９】
以下、添付図面を参照して本発明の実施形態について説明する。なお、図面の説明において同一の要素には同一の符号を付し、重複する説明を省略する。また、図示の便宜上、図面の寸法比率は説明のものと必ずしも一致しない。
【００２０】
図１は、本発明の実施形態に係る車両の骨格構造の要部側面図である。図１に示すように、本実施形態に係る車両の骨格構造は、フロントサイドメンバ１を備えている。フロントサイドメンバ１は、車両の側方位置に配置されている。フロントサイドメンバ１は、上段前方水平部１１、上段後方水平部１２、および傾斜部１３を備えている。上段前方水平部１１および上段後方水平部１２は、略水平方向に配設された棒状をなす部材であり、複数の切欠き孔１４が形成され部分が上段前方水平部１１、これらの切欠き孔が形成されていない部分が上段後方水平部１２とされている。上段前方水平部１１と上段後方水平部１２とでは、上段後方水平部１２の方が上段前方水平部１１よりもその軸方向の強度が高くされている。
【００２１】
また、傾斜部１３は、上段後方水平部１２の後端部に連続して配置されており、前方から後方に行くにしたがって下降する形状をなしている。上段後方水平部１２と傾斜部１３とでは、傾斜部１３の方が上段後方水平部１２よりもその軸方向の強度が高くされている。さらに、傾斜部１３の後端部には、棒状をなし、略水平方向に配設された図示しない下段水平部が設けられている。これらの上段前方水平部１１、上段後方水平部１２、傾斜部１３、および下段水平部は、一体的に形成されている。
【００２２】
フロントサイドメンバ１における上段前方水平部１１の前端部は、上段バンパリーンホースメント２が上段クラッシュボックス３を介して接続されている。また、フロントサイドメンバ１における上段前方水平部１１の前端部には、下方に向けて延在するラジエータサポート４が取り付けられており、ラジエータサポート４における高さ方向略中央位置には、下段バンパリーンホースメント５が下段クラッシュボックス６を介して接続されている。
【００２３】
さらに、フロントサイドメンバ１における傾斜部１３の下端面には、サスペンションメンバ７が配設されている。サスペンションメンバ７は、図示しないボルト等によってフロントサイドメンバ１に固定されている。また、ラジエータサポート４とサスペンションメンバ７との間には、本発明の骨格部材となるアンダーメンバ８が掛け渡されている。
【００２４】
アンダーメンバ８は、図２にも示すように、車両の前方に位置する前段部２１、中央に位置する中段部２２、および後方に位置する後段部２３を備えている。前段部２１、中段部２２、および後段部２３は、いずれも長尺状をなしており、車両の前後方向に沿って配設されている。このうち、前段部２１および中段部２２は本発明の副長尺部材を構成し、後段部２３は主長尺部材を構成する。また、前段部２１、中段部２２、および後段部２３は、いずれ中空形状とされている。さらに、アンダーメンバ８の前段部２１がラジエータサポート４の下端部に固定されており、後段部２３がサスペンションメンバ７に対して固定されている。
【００２５】
前段部２１は、中段部２２に対してアンダーメンバ８の延在方向に沿ってスライド可能とされており、中段部２２は、後段部２３に対してアンダーメンバ８の延在方向に沿ってスライド可能とされている。このため、前段部２１も、後段部２３に対してアンダーメンバ８の延在方向にスライド可能とされている。
【００２６】
また、前段部２１、中段部２２、および後段部２３は、いずれも断面矩形をなしている。さらに、前段部２１の断面積は中段部２２の断面積より小さく、中段部２２の断面積は後段部２３の断面積よりも小さくされ、後方に行くにしたがって徐々に断面積が大きくなるようにされている。前段部２１は、中段部２２に対してスライドすることにより、中段部２２に形成された中空部に収容可能とされている。同様に、中段部２２は、後段部２３に対してスライドすることにより、後段部２３に形成された中空部に収容可能とされている。
【００２７】
さらに、前段部２１における後端部は、図３（ａ）（ｂ）にも示すように、アーク溶接による第１溶接Ｙ１によって中段部２２に固定されている。前段部２１における後端部に設けられた第１溶接Ｙ１は、上下面および左右面の４箇所に施されている。同様に、中段部２２における後端部は、第２溶接Ｙ２によって後段部２３に固定されている。ここで、前段部２１の後端部における第１溶接Ｙ１による接合強度は、中段部２２の後端部における第２溶接Ｙ２による接合強度よりも弱くされている。第１溶接Ｙ１は、隣接する前段部２１と中段部２２とを接合する本発明の接合部として形成されており、第２溶接Ｙ２は、隣接する中段部２２と後段部２３とを接合する本発明の接合部として形成されている。
【００２８】
また、中段部２２における長手方向途中位置には、本発明の移動抑止手段である中段部ストッパ２４が設けられている。中段部ストッパ２４は、前段部２１における長手方向途中位置において、上面と下面との間に掛け渡されて立設されている。前段部２１が中段部２２の中空部にスライド移動して進入した後、前段部２１が中段部ストッパ２４に当接することにより、中段部２２に対する前段部２１のスライド移動が抑止される。
【００２９】
さらに、後段部２３における長手方向途中位置には、本発明の移動抑止手段である後段部ストッパ２５が設けられている。後段部ストッパ２５は、中段部２２における長手方向途中位置において、上面と下面との間に掛け渡されて立設されており、後段部２３に対する中段部２２のスライド移動を抑止している。
【００３０】
ここで、図４に示すように、アンダーメンバ８における前段部２１は、フロントサイドメンバ１における上段前方水平部１１の下方位置に配置されており、中段部２２は、上段後方水平部１２の下方位置に配置されている。また、後段部２３は、傾斜部１３の下方位置に配置されている。さらに、アンダーメンバ８における前段部２１と中段部２２との境目は、フロントサイドメンバ１における上段前方水平部１１と上段後方水平部１２との境目に対応して配置されており、中段部２２と後段部２３との境目は、上段後方水平部１２と傾斜部１３との境目に対応して配置されている。
【００３１】
このため、フロントサイドメンバ１における上段前方水平部１１の長さと、アンダーメンバ８の前段部２１における中段部２２から突出した位置からラジエータサポート４（図１）に固定されている位置までの長さは、略同一の長さであり、第１長さｌ１とされている。また、フロントサイドメンバ１における上段後方水平部１２の長さと、アンダーメンバ８の中段部２２における後段部２３から突出した部分の長さは、略同一の長さであり、第２長さｌ２とされている。
【００３２】
さらに、図５に示すように、中段部２２における前段部２１が挿入されている部位から中段部ストッパ２４が設けられている部位までの長さは、第１長さｌ１とされている。また、後段部２３における中段部２２が挿入されている部位から後段部ストッパ２５が設けられている部位までの長さは、第２長さｌ２とされている。
【００３３】
次に、本実施形態に係る車両の骨格構造における作用について説明する。
【００３４】
本実施形態に係る車両の骨格構造においては、車両がたとえば正面衝突を起こした場合、上段バンパリーンホースメント２から衝突荷重が入力され、上段クラッシュボックス３でその衝突荷重が吸収される。また、上段クラッシュボックス３で吸収しきれない衝突荷重がフロントサイドメンバ１に伝達される。それとともに、下段バンパリーンホースメント５から衝突荷重が入力され、下段クラッシュボックス６でその衝突荷重が吸収される。また、下段クラッシュボックス６で吸収しきれない衝突荷重がアンダーメンバ８に伝達される。
【００３５】
ここで、衝突荷重が伝達されたアンダーメンバ８においては、アンダーメンバ８が折れ変形を生じることなく、第１溶接Ｙ１，第２溶接Ｙ２が破断することによって前段部２１と中段部２２との接合状態が解消され、前段部２１、中段部２２がスライド移動してその衝突荷重を吸収する。アンダーメンバ８において衝突荷重を吸収する際には、強度が一番低い部分が破断される。強度が低い部分としては、溶接部分が挙げられる。本実施形態では、溶接部分として前段部２１と中段部２２とを接合する第１溶接Ｙ１と中段部２２と後段部２３とを接合する第２溶接Ｙ２とがあるが、第１溶接Ｙ１の強度は、第２溶接Ｙ２の強度よりも低くされている。
【００３６】
このため、図６（ａ）に示す状態から、アンダーメンバ８に衝突荷重が伝達されると、まず、前段部２１と中段部２２とを接合する第１溶接Ｙ１が破断して、図６（ｂ）に示すように、前段部２１が中段部２２に対して、さらには、後段部２３に対してスライドし、前段部２１が中段部２２の中空部に進入する。その結果、アンダーメンバ８は、全体として収縮する。
【００３７】
ここで、中段部２２に対する前段部２１のスライド距離は、中段部ストッパ２４の設置位置によって調整されている。具体的に、中段部２２における前段部２１が挿入されている部位から中段部ストッパ２４が設けられている部位までの長さは、アンダーメンバ８の前段部２１における中段部２２から突出した位置からラジエータサポート４（図１）に固定されている位置までの長さである第１長さｌ１と略同一とされている。
【００３８】
このため、前段部２１の大部分が中段部２２に進入すると、前段部２１における後端部が中段部２２における中段部ストッパ２４に当接する。こうして、衝突荷重が完全に吸収されると、中段部２２に対する前段部２１のスライドが抑止される。
【００３９】
また、前段部２１における後端部が中段部２２における中段部ストッパ２４に当接した時点で、アンダーメンバ８に伝達された衝突荷重を完全に吸収し切れない場合には、前段部２１が中段部ストッパ２４を介して中段部２２を押圧する。その結果、前段部２１における後端部から中段部２２における中段部ストッパ２４に対して衝突荷重が伝達され、中段部２２に衝突荷重が伝達される。
【００４０】
中段部２２に衝突荷重が伝達されると、中段部２２と後段部２３とを接合する第２溶接Ｙ２が破断し、図６（ｃ）に示すように、中段部２２が後段部２３に対してスライドし、中段部２２が後段部２３の中空部に進入する。その結果、前段部２１に続いて中段部２２が順次スライドし、アンダーメンバ８は、全体としてさらに収縮する。
【００４１】
ここで、後段部２３に対する中段部２２のスライド距離は、後段部ストッパ２５の設置位置によって調整されている。具体的に、後段部２３における中段部２２が挿入されている部位から後段部ストッパ２５が設けられている部位までの長さは、中段部２２における後段部２３から突出している部分の長さである第２長さｌ２と略同一とされている。
【００４２】
このため、中段部２２における後段部２３から突出している部分が中段部２２に進入すると、中段部２２における後端部が後段部２３における後段部ストッパ２５に当接する。こうして、衝突荷重が完全に吸収されると、後段部２３に対する中段部２２のスライドが抑止される。さらに、図６（ｃ）に示すように、このときの前段部２１および中段部２２の後段部２３に対する進入長さｌ３は、第１長さｌ１と第２長さｌ２とを加算した長さとなる。
【００４３】
また、中段部２２における後端部が後段部２３における後段部ストッパ２５に当接した時点で、アンダーメンバ８に伝達された衝突荷重を完全に吸収し切れない場合には、中段部２２が後段部ストッパ２５を介して後段部２３を押圧する。その結果、後段部２３からフロントサイドメンバ１における傾斜部１３の下端部に衝突荷重が入力される。その後は、フロントサイドメンバ１における傾斜部１３や図示しない下段水平部によって衝突荷重を吸収する。
【００４４】
このように、本実施形態に係る車両の骨格部材においては、アンダーメンバ８が前段部２１、中段部２２、および後段部２３を備えており、下段バンパリーンホースメント５から衝突荷重が入力されると、前段部２１および中段部２２が順次スライドして中段部２２および後段部２３の中空部に進入する。
【００４５】
このため、下段バンパリーンホースメント５から衝突荷重を段階的に制御しながら吸収することができる。また、前段部２１、中段部２２、および後段部２３を備えており、下段バンパリーンホースメント５から衝突荷重が入力した場合には、前段部２１および中段部２２が後段部２３に進入する進入長さｌ３さを第１長さｌ１と第２長さｌ２とを加算した長さとすることができる。したがって、アンダーメンバ８の全体としてのスライド距離を長くすることができ、下段バンパリーンホースメント５から衝突荷重が入力した際における荷重の吸収性能を高くすることができる。
【００４６】
さらに、前段部２１および中段部２２を接合する第１溶接Ｙ１と、中段部２２および後段部２３を接合する第２溶接Ｙ２とでは、第２溶接Ｙ２の方が第１溶接Ｙ１よりも接合高度が高くされている。このため、下段バンパリーンホースメント５から衝突荷重が入力された際に、まず、第１溶接Ｙ１が破断して、続いて第２溶接Ｙ２が破断する。このように、第１溶接Ｙ１と第２溶接Ｙ２との間に接合強度の差が設定されていることにより、衝突荷重に対する抵抗力に幅を持たせることができる。したがって、アンダーメンバ８に入力される荷重を段階的にコントロールすることができる。さらに、アンダーメンバ８のスライド距離が長くなるとともに、ストッパ２４，２５による当接回数を増加させることができる。したがって、その分アンダーメンバ８の強度を大きくすることができる。
【００４７】
また、中段部２２には、中段部ストッパ２４が設けられており、中段部２２は、前段部２１に中段部ストッパ２４が押圧された後にスライドを開始する。また、中段部２２における前段部２１が挿入されている部位から中段部ストッパ２４が設けられている部位までの長さは、アンダーメンバ８の前段部２１における中段部２２から突出した位置からラジエータサポート４に固定されている位置までの長さである第１長さｌ１と略同一とされている。このため、前段部２１に入力される荷重をさらに好適にコントロールすることができる。さらには、前段部２１に入力された荷重を後方の中段部２２、さらには後段部２３に確実に伝達させることができる。
【００４８】
さらに、本実施形態に係る車両の骨格構造においては、フロントサイドメンバ１における上段前方水平部１１の軸方向の強度は、第１溶接Ｙ１の接合強度と略同一とされている。同様に、上段後方水平部１２の軸方向の強度は、第２溶接Ｙ２の接合強度と略同一とされている。このため、車両が正面衝突して上段バンパリーンホースメント２および下段バンパリーンホースメント５から同じように衝突荷重が入力した場合には、フロントサイドメンバ１およびアンダーメンバ８において同様の吸収力で衝突荷重を吸収することができる。したがって、フロントサイドメンバ１とアンダーメンバ８とを協働させて荷重を吸収することができ、衝突荷重の吸収性能を高めることができる。
【００４９】
以上、本発明の好適な実施形態について説明したが、本発明は上記実施形態に限定されるものではない。たとえば、上記実施形態においては、アンダーメンバ８として、断面が矩形であり、後方に行くにしたがって断面積が徐々に大きくなる態様とされているが、他の態様とすることもできる。たとえば、図７（ａ）に示すアンダーメンバ３０は、前段部３１、中段部３２、および後段部３３がそれぞれ２枚の板金で構成されている。前段部３１は、中央が突出する凸部を備える突出部材に平板を溶接固定して形成されている。中段部３２および後段部３３の断面形状は、前段部３１の断面形状に略比例しており、後方にいくにしたがって徐々に大きくなっている。これらの前段部３１、中段部３２、および後段部３３が、上記の実施形態と同様に並べられている態様とすることもできる。
【００５０】
また、図７（ｂ）に示すアンダーメンバ４０のように、前段部４１、中段部４２、および後段部４３がいずれも断面矩形であり、後方に行くにしたがって徐々に面積が小さくなる態様とすることもできる。さらに、図７（ｃ）に示すアンダーメンバ５０のように、前段部５１、中段部５２、および後段部５３がいずれも断面矩形であり、前段部５１よりも中段部５２の方が断面積が大きく、中段部５２よりも後段部５３の方が断面積が小さい態様とすることもできる。
【００５１】
さらに、上記実施形態では、アンダーメンバ８として、前段部２１、中段部２２、および後段部２３の３本の棒状部材を備えるものを用いているが、４本、さらにはそれ以上の数の棒状部材を備え、これらが同軸状に配置されている態様とすることもできる。また、上記実施形態では、前段部２１、中段部２２、および後段部２３の接合部を溶接によって接合しているが、ボルト等の他の接合態様で接合することもできる。
【００５２】
あるいは、中段部ストッパ２４や後段部ストッパ２５などのストッパの設置位置としては、衝突荷重が入力した際の荷重の大きさ等を想定して、適宜の位置に設定することができる。この場合も、ストッパの設定位置を調整するのみで衝突荷重に対する対応を行うことができ、衝突荷重に対する対応を容易に行うことができる。
【符号の説明】
【００５３】
１…フロントサイドメンバ、２…上段バンパリーンホースメント、３…上段クラッシュボックス、４…ラジエータサポート、５…下段バンパリーンホースメント、６…下段クラッシュボックス、７…サスペンションメンバ、８…アンダーメンバ、１１…上段前方水平部、１２…上段後方水平部、１３…傾斜部、１４…切欠き孔、２１…前段部、２２…中段部、２３…後段部、２４…中段部ストッパ、２５…後段部ストッパ、ｌ１…第１長さ、ｌ２…第２長さ、ｌ３…進入長さ、Ｙ１…第１溶接、Ｙ２…第２溶接。
【図１】
0005440377.tif 000002
【図２】
0005440377.tif 000003
【図３】
0005440377.tif 000004
【図４】
0005440377.tif 000005
【図５】
0005440377.tif 000006
【図６】
0005440377.tif 000007
【図７】
0005440377.tif 000008